(57)【要約】【課題】ラインを流体密封方式で連結するためのアレンジメントを提供する。【課題解決の方法】第１ライン及び第２ラインとそれぞれ密接に連結された第１連結要素及び第２連結要素を備え、各連結要素はそれぞれ密封面を備え、互いに連結されて、固定要素、第１密封要素、第２密封要素及び連結要素の間に配置された中間要素を備え、固定要素は、中空シリンダー形状の壁を備え、壁は第１エッジ及び第２エッジ、並びに内部面及び外部面を有し、中間要素がリセスを備え、リセスは切開部として、第２密封要素の外部面に形成された第１端部から第１密封要素の領域で固定要素に形成された第２端部まで延長され、第１端部は円錐形状を有し、リセスの対向して配置された側壁は密封要素の外部面で互い接することを特徴とする。【選択図】図３
2019055772.tif 000002
【特許請求の範囲】
【請求項１】
第１ラインの端部部材と密接に連結された第１連結要素（２）及び第２ラインの端部部材と密接に連結された第２連結要素（３）を備えて、前記連結要素（２、３）はそれぞれ他方の連結要素（２、３）と整列された側に放射状に延びる密封面を備え、少なくとも一つの固定手段により互いに連結されて、
固定要素（５ａ）、前記固定要素（５ａ）の内にあり前記連結要素（２、３）の密封面の間に配置された第１密封要素（４）、及びストリップ形状の第２密封要素（５ｂ）を備え、前記連結要素（２、３）の間に配置された中間要素（５）を備え、
前記固定要素（５ａ）は軸方向に整列された中空シリンダー形状の壁を備えて形成され、前記壁は第１エッジ（６）及び第２エッジ（７）、並びに内部面（８）及び外部面（９）を有し、前記第２密封要素（５ｂ）は前記固定要素（５ａ）の前記第２エッジ（７）で前記固定要素（５ａ）と堅固に連結され、前記ライン、特に自動車空気調節システムの冷媒循環系の前記ラインを流体密封方式で連結するためのアレンジメント（１）において、
前記中間要素（５）がリセス（１４）を備え、前記リセスは切開部として、前記第２密封要素（５ｂ）の前記外部面に形成された第１端部（１５ａ）から前記第１密封要素（４）の領域で前記固定要素（５ａ）に形成された第２端部（１５ｂ）まで延長され、前記第１端部（１５ａ）は円錐形状を有し、前記リセス（１４）の対向して配置された側壁は前記密封要素（５ｂ）の前記外部面で互い接することを特徴とするラインを流体密封方式で連結するためのアレンジメント。
【請求項２】
前記リセス（１４）の対向する前記側壁の間に形成される間隔が前記密封要素（５ｂ）の前記外部面から出発して前記リセス（１４）の方向に継続して増加することを特徴とする請求項１に記載のラインを流体密封方式で連結するためのアレンジメント。
【請求項３】
前記少なくとも一つの固定手段がねじ連結部として形成され、ねじは前記連結要素（２、３）の内部に形成された貫通開口（１３）及び前記中間要素（５）の前記第２密封要素（５ｂ）内に形成された前記貫通開口（１３）を貫通した状態で配置されていることを特徴とする請求項１または２に記載のラインを流体密封方式で連結するためのアレンジメント。
【請求項４】
前記リセス（１４）が前記第１端部（１５ａ）から前記第２密封要素（５ｂ）内に形成された前記貫通開口（１３）まで、そして前記貫通開口（１３）から前記固定要素（５ａ）の前記第２エッジ（７）まで、そして前記固定要素（５ａ）の前記第２エッジ（７）から前記第２端部（１５ｂ）まで延長して形成されることを特徴とする請求項３に記載のラインを流体密封方式で連結するためのアレンジメント。
【請求項５】
前記リセス（１４）が前記中間要素（５）の対称軸に沿って延長して形成されることを特徴とする請求項４に記載のラインを流体密封方式で連結するためのアレンジメント。
【請求項６】
前記リセス（１４）の対向して配置された前記側壁の間に形成された間隔が前記第２密封要素（５ｂ）の前記外部面（９）から出発して前記貫通開口（１３）の方向に継続して増加することを特徴とする請求項４または５に記載のラインを流体密封方式で連結するためのアレンジメント。
【請求項７】
前記リセス（１４）の対向して配置された前記側壁の間に形成された間隔が前記貫通開口（１３）から出発して前記第２端部（１５ｂ）まで一定していることを特徴とする請求項１乃至６の何れか一項に記載のラインを流体密封方式で連結するためのアレンジメント。
【請求項８】
前記リセス（１４）は、連続する切開部として形成され、前記切開部は上部面からストリップ形状の前記第２密封要素（５ｂ）の下部面まで、そして前記外部面（９）から前記固定要素（５ａ）の前記壁の前記内部面（８）まで延長されることを特徴とする請求項１乃至７の何れか一項に記載のラインを流体密封方式で連結するためのアレンジメント。
【請求項９】
前記連結要素（２、３）と前記リセス（１４）の前記側壁の間に流動チャンネルが形成され、前記流動チャンネルが互いに対向して配置され、前記第２端部（１５ｂ）から前記リセス（１４）の前記第１端部（１５ａ）への単一方向の流れのためにバルブの形状で前記第１端部（１５ａ）に構成されることを特徴とする請求項１乃至８の何れか一項に記載のラインを流体密封方式で連結するためのアレンジメント。
【請求項１０】
前記リセス（１４）の前記第１端部（１５ａ）は、少なくとも３ｂａｒの内部圧力に達するまで閉鎖されるように設計されることを特徴とする請求項１乃至９の何れか一項に記載のラインを流体密封方式で連結するためのアレンジメント。
【請求項１１】
前記リセス（１４）は、前記固定要素（５ａ）の軸方向において前記中間要素（５）の前記壁の内部に形成されることを特徴とする請求項１乃至１０の何れか一項に記載のラインを流体密封方式で連結するためのアレンジメント。
【請求項１２】
前記リセスの前記第２端部（１５ｂ）が前記固定要素（５ａ）の前記第１エッジ（６）の下に形成されることを特徴とする請求項１乃至１１の何れか一項に記載のラインを流体密封方式で連結するためのアレンジメント。
【請求項１３】
前記第２密封要素（５ｂ）が前記固定要素（５ａ）の長手方向の軸線に対して垂直に整列した平面に配置されることを特徴とする請求項１乃至１２の何れか一項に記載のラインを流体密封方式で連結するためのアレンジメント。
【請求項１４】
前記中間要素（５）の前記第２密封要素（５ｂ）が前記連結要素（２、３）の間に形成された中間空間（１２）内に配置されることを特徴とする請求項１乃至１３の何れか一項に記載のラインを流体密封方式で連結するためのアレンジメント。
【請求項１５】
前記第１密封要素（４）がディスク形状に形成されてることを特徴とする請求項１乃至１４の何れか一項に記載のラインを流体密封方式で連結するためのアレンジメント。
【請求項１６】
前記第１エッジ（６）の領域で、前記固定要素（５ａ）の前記壁の前記内部面（８）に放射状に内部に突出する成形部（１０）が形成されることを特徴とする請求項１乃至１５の何れか一項に記載のラインを流体密封方式で連結するためのアレンジメント。
【請求項１７】
前記成形部（１０）が円形断面を有するウェブとして形成されることを特徴とする請求項１６に記載のラインを流体密封方式で連結するためのアレンジメント。
【請求項１８】
前記固定要素（５ａ）の前記壁の前記内部面（８）に前記第１エッジ（６）の方向において、前記第２エッジ（７）から放射状に軸方向に先細となる中心設定要素（１１）が形成されることを特徴とする請求項１乃至１７の何れか一項に記載のラインを流体密封方式で連結するためのアレンジメント。
【請求項１９】
前記ラインの端部部材が前記連結要素（２、３）内に形成されたそれぞれ一つの貫通開口を通じて互い連結されることを特徴とする請求項１乃至１８の何れか一項に記載のラインを流体密封方式で連結するためのアレンジメント。
【発明の詳細な説明】
【技術分野】
【０００１】
本発明は、ラインを流体密封方式で連結するためのアレンジメントに係り、より詳しくは、ライン、特に自動車空気調節システムの冷媒循環系のラインを流体密封方式で連結するためのアレンジメントに関する。
【背景技術】
【０００２】
多くのラインを流体密封方式で連結するための従来の構成は、連結要素の間に配置され、複数の異なる機能を満たすように設計された個別の構成要素として、中間要素を有する２つの連結要素を備える。中間要素の主要機能は、ディスク形状の密封要素を第１連結要素に固定させて位置決めすることにある。第１連結要素及び第２連結要素の各々はパイプ又はライン、特に冷媒ラインの端部と流体密封方式で連結されている。
ディスク形状の密封要素を軸方向に固定させることは、一方では第１連結要素上への配置によって、そして、他方では中間要素による配置によって保障される。ディスク形状の密封要素は放射状に中間要素の内部面に形成された中心設定要素によって固定される。中間要素のもう一つの機能は、２つの連結要素の間に形成された中間空間への腐食性液体の流入を防止し、そしてアレンジメントを腐食から保護することにある。
【０００３】
特許文献１には、冷媒ラインを連結するための密封アレンジメントが開示されている。このシーリング装置は、第１ラインの端部部材と密接に連結された第１連結要素と、第２ラインの端部部材と密接に連結された第２連結要素を備える。この場合、密封リングが貫通ボアを有するプラスチックキャップとして形成され、中間要素としての固定装置によって２つの連結部分のうちの１つの密封面に固定された状態で配置される。プラスチックキャップは、理論上の破損点としてこのプラスチックキャップの材料の厚さを減少させるための溝を有する。
特許文献２及び特許文献３には、液体媒質のための２つのライン、特に冷媒ラインを連結するための中間要素を有する密封部を固定させるシステムがそれぞれ開示されている。中間要素は外壁及び内壁、そして上部エッジ及び下部エッジを有する密封リングのための中空シリンダー形状の収容部を備える。下部エッジには、中間要素の外壁に対して垂直に進行して中間要素を解体するための平らな分離ラグが配置されている。特許文献４によれば、分離ラグは、この分離ラグの外部エッジから外壁に向かう方向に延長される狭いスロットを備えて形成される。
【０００４】
従来技術として公知になっている分離ラグは、密封部として形成された連結要素の間に配置された中間要素の領域を備えて、この領域は中間要素の中空シリンダー形状の収容部の内部で欠損のある密封リングの配置と関係なく、約３０ｂａｒの内部圧力に達するまで密封される。それにより、組み立て工程の間又はライン及び連結要素の連結した状態で、起こりうる漏洩の堅実な検出の可能性が阻止されるという問題があった。
【先行技術文献】
【特許文献】
【０００５】
【特許文献１】ドイツ特許出願ＤＥ  １０  ２００６  ０３５  ７１７  Ａ１号公報
【特許文献２】ドイツ特許出願ＤＥ  １０  ２００６  ０１２  ９１５  Ａ１号公報
【特許文献３】ドイツ特許出願ＤＥ  １０  ２００７  ０４７  ８０７  Ａ１号公報
【特許文献４】ドイツ特許出願ＤＥ  １０  ２００７  ０４７  ８０７  Ａ１号公報
【発明の概要】
【発明が解決しようとする課題】
【０００６】
本発明は上記の問題を解決するためになされたものであって、その目的とするところは、ラインからの漏洩を確実に検出し、また２つの連結要素の間に形成された中間空間を密封させて、腐食性の媒質が外部からアレンジメントの中間空間内に浸透することを防止し、液体媒質のためのライン、特に冷媒ラインをライン端部の部材から流体密封方式で連結することができるアレンジメントを提供することにある。
本発明では、アレンジメントの製造、管理及び組み立てのためのコスト及び複雑性が最小限にならなければならない。
【課題を解決するための手段】
【０００７】
上記目的を達成するためになされた本発明のアレンジメントは、第１ラインの端部部材と密接に連結された第１連結要素及び第２ラインの端部部材と密接に連結された第２連結要素を備え、連結要素はそれぞれ他方の連結要素と整列された側に放射状に延びる密封面を備え、少なくとも一つの固定手段により互いに連結されて、固定要素、固定要素の内にあり連結要素の密封面の間に配置された第１密封要素、及びストリップ形状の第２密封要素を備え、連結要素の間に配置された中間要素を備え、固定要素は軸方向に整列された中空シリンダー形状の壁を備えて形成され、壁は第１エッジ及び第２エッジ、並びに内部面及び外部面を有し、第２密封要素は固定要素の第２エッジで固定要素と堅固に連結され、ライン、特に自動車空気調節システムの冷媒循環系のラインを流体密封方式で連結するためのアレンジメントにおいて、
中間要素がリセスを備え、リセスは切開部として、第２密封要素の外部面に形成された第１端部から第１密封要素の領域で固定要素に形成された第２端部まで延長され、第１端部は円錐形状を有し、リセスの対向して配置された側壁は密封要素の外部面で互い接することを特徴とする。
【０００８】
本発明は、リセスの対向する側壁の間に形成される間隔が密封要素の外部面から出発してリセスの方向に継続して増加することができる。
少なくとも一つの固定手段がねじ連結部として形成され、ねじは連結要素の内部に形成された貫通開口及び中間要素の第２密封要素内に形成された貫通開口を貫通した状態で配置されていることが好ましい。
リセスが第１端部から第２密封要素内に形成された貫通開口まで、そして貫通開口から固定要素の第２エッジまで、そして固定要素の第２エッジから第２端部まで延長して形成されることがよい。
【０００９】
リセスが中間要素の対称軸に沿って延長して形成されることがよい。
リセスの対向して配置された側壁の間に形成された間隔が第２密封要素の外部面から出発して貫通開口の方向に継続して増加することができる。
リセスの対向して配置された側壁の間に形成された間隔が貫通開口から出発して第２端部まで一定していることが好ましい。
リセスは、連続する切開部として形成され、切開部は上部面からストリップ形状の第２密封要素の下部面まで、そして外部面から固定要素の壁の内部面まで延長されることが好ましい。
【００１０】
連結要素とリセスの側壁の間に流動チャンネルが形成され、流動チャンネルが互いに対向して配置され、第２端部からリセスの第１端部への単一方向の流れのためにバルブの形状で第１端部に構成されることがよい。
リセスの第１端部は、少なくとも３ｂａｒの内部圧力に達するまで閉鎖されるように設計されていることが好ましい。
リセスは、固定要素の軸方向において中間要素の壁の内部に形成されることがよい。
リセスの第２端部が固定要素の第１エッジの下に形成されることができる。
【００１１】
第２密封要素が固定要素の長手方向の軸線に対して垂直に整列した平面に配置されることが好ましい。
中間要素の第２密封要素が連結要素の間に形成された中間空間内に配置されることがよい。
第１密封要素がディスク形状に形成されることがよい。
第１エッジの領域で、固定要素の壁の内部面に放射状に内部に突出する成形部が形成されることができる。
【００１２】
成形部が円形断面を有するウェブとして形成されることが好ましい。
固定要素の壁の内部面に第１エッジの方向において、第２エッジから放射状に軸方向に先細りとなる中心設定要素が形成されることができる。
ラインの端部部材が連結要素内に形成されたそれぞれ一つの貫通開口を通じて互い連結されることが好ましい。
【発明の効果】
【００１３】
本発明によると、本発明のアレンジメントは多様な利点を有している。
本発明のアレンジメントは、漏洩の確実な検出及び個別構成要素の最適の組み立てを可能にすることができる。
本発明の目的のために提供された冷媒循環系のアレンジメントは、漏洩の迅速でかつ時間が節約された検出ができ、単純な判断が可能になり、それにより、冷媒の損失及び今後の後続作業、そしてこの目的のために必要なコストをセーブすることができる。
ライン内を循環する流体、特に冷媒の許されていない放出が防止でき、それにより環境を保護することができる。
連結要素の間に形成された中間空間が密封されて、腐食性の媒質が外部からアレンジメントの中間空間内に浸透することを防止することができる。
連結要素の間で、そしてそれぞれ第１密封要素に対する接触性の腐食から保護することができる。
【図面の簡単な説明】
【００１４】
本発明の実施形態の他の詳細な事項、特徴及び利点は、関連する図面を参照した例示的な実施形態についての以下の説明から明らかになる。
【図１】ライン端部部分に冷媒ラインを流体密封方式で連結するためのアレンジメントの断面図。
【図２】図１に示したアレンジメントの第１連結要素の断面図。
【図３】第１密封要素及び第２密封要素のための固定要素を有する中間要素の斜視図。
【図４】第１密封要素の斜視図。
【図５】中間要素の固定要素内に挿入された第１密封要素を上から見た斜視図。
【図６】中間要素の固定要素内に挿入された第１密封要素を下から見た斜視図。
【図７】第１密封要素が設定挿入された第２連結要素の斜視図。
【発明を実施するための形態】
【００１５】
図１は、ライン端部部分に冷媒ラインを流体密封方式で連結するためのアレンジメントの断面図であり、第１連結要素（２）及び第２連結要素（３）、そしてこれら連結要素（２、３）の間に配置されて、第１密封要素（４）が挿入される固定要素（５ａ）及び第２密封要素（５ｂ）を有する中間要素（５）を有するライン端部部分に冷媒ラインを流体密封方式で連結するための従来技術によるアレンジメント（１）の断面図を示した。
第１密封要素（４）は固定要素（５ａ）内部で中間要素（５）の部分として固定される。
図２は、図１に示したアレンジメントの第１連結要素の断面図であり、中間要素（５）及び固定要素（５ａ）内部に挿入された第１密封要素（４）を有するアレンジメント（１）の第１連結要素（２）を断面図で示した。
【００１６】
このアレンジメント（１）は、第１ラインの端部の部材と密接に連結された第１連結要素（２）及び第２ラインの端部の部材と密接に連結された第２連結要素（３）を備える。これらの連結要素（２、３）は各々他方の連結要素に整列された側に放射方向に進行する密封面を備えて形成され、一つ以上の固定手段により互い連結されている。
図示していない第１ラインは、端部部材によって第１連結要素（２）内に挿入され、図示していない第２ラインは、端部部材によって第２連結要素（３）内に挿入される。これらのラインは、それぞれ特定の連結要素（２、３）にしっかりと流体密封方式で接続される。連結要素（２、３）は、ラインが挿入された端部部分の領域で中間に支持された第１密封要素（４）を通じて流体密封方式で連結され、固定手段によって機械的に結合される。この場合、連結要素（２、３）は、他方の連結要素（２、３）に向かってに整列した側に放射状に延びる密封面を有する。
【００１７】
連結要素（２、３）の機械的結合は、ねじ結合によって行うことができる。この場合、ねじは、固定要素として、連結要素（２、３）の内部に形成された貫通開口及び中間要素（５）の貫通開口を通って配置される。中間要素（５）の接続要素（２，３）及び貫通開口（１３）の通過開口は、共通の中心軸上に整列され、連結要素（２，３）の密封面から横方向にずれて配置される。
【００１８】
中間空間（１２）は、連結要素（２、３）の貫通開口部の対向する端部の間に形成される。中間空間（１２）の内部には中間要素（５）の部分、特に第２密封要素（５ｂ）として構成された部分が配置されて、この部分は特別に腐食性の媒質が、例えば連結要素（２、３）の貫通開口を通じて中間空間（１２）内に、そしてこれでまた第１密封要素（４）を有する固定要素（５ａ）側に浸透することを防止する。
【００１９】
中間要素（５）は、ディスク形状の第１密封要素（４）を固定するために固定要素（５ａ）を備え、密封要素（４）は実質的に中空シリンダー形状の容器として構成された固定要素（５ａ）の内部に配置される。固定要素（５ａ）は軸方向に上部に第１エッジ（６）と、下部に第２エッジ（７）とを前面側に有し、固定要素の内部面（８）及び固定要素の外部面（９）を有するように構成された壁を備えている。中空シリンダーのジャケットの内部面（８）及び外部面（９）は、それぞれ第１エッジ（６）から第２エッジ（７）まで延びている。
【００２０】
固定要素（５ａ）の壁は、好ましくプラスチックから形成され、ディスク形状の第１密封要素（４）が第１軸方向の第１エッジ（６）に軸方向に固定されている放射状の内部に突出する成形部（１０）を含み、第１連結要素（２）の密封面は、円形断面を有するウェブとして構成された成形部（１０）との間にアレンジメント（１）が組み立てられる。その結果、固定要素（５ａ）により受容された第１密封要素（４）の最初の位置の変更は、特に、結果的に対向して配置された２つ以上の成形部（１０）によって防止される。
【００２１】
さらに、円盤形状の第１密封要素（４）を第１エッジ（６）に固定するために、軸方向の下部の第２エッジ（７）から上部の第１エッジ（６）の方向に放射状に先細りになる中心設定要素（１１）が放射状に延びており、固定要素（５ａ）の壁の内部面（８）には、放射状に配置されている。この場合は、対向して配置された中心設定要素（１１）の間の放射状方向の間隔は、第２エッジ（７）から第１エッジ（６）までの導入プロセス中に密封要素（４）が固定要素（５ａ）に挿入されるように、段階的に小さくなる成形部（１０）、及び成形部（１０）の円形断面を有するウェブは、内部面（８）の周りに形成された中心設定要素（１１）の間に固定される。
【００２２】
固定要素（５ａ）は、第１密封要素（４）を固定要素（５ａ）の内部に固定するよう、第１密封要素（４）と組み合わせた形に形成される。さらに固定要素（５ａ）を有する中間要素（５）は、固定要素（５ａ）をこの固定要素（５ａ）内に固定された第１密封要素（４）と一緒に連結要素（２、３）の密封面の間に配置する方式で、連結要素（２、３）と組み合わせた形に形成される。この場合、固定要素（５ａ）は組み立ての前に、特に連結要素（２、３）のねじ結合の前に密封面の間に簡単に固定できる。固定要素（５ａ）を備えた中間要素（５）は、連結要素（２、３）のうちの一つに接続される。
【００２３】
固定要素（５ａ）の壁に対して垂直に整列された第２密封要素（５ｂ）は、固定要素（５ａ）の下部の第２エッジ（７）に配置される。従って、特に弾性重合体で形成された第２密封要素（５ｂ）は、固定要素（５ａ）の長手方向の軸に対して垂直に整列した平面内に形成され、ほぼ全周に渡って固定要素（５ａ）と十分堅固に接続される。第２密封要素（５ｂ）は、外周に沿って延び周辺を囲むカラーと、放射方向に一定の間隔をおいて固定要素（５ａ）の周辺を囲むカラー、及び固定要素（５ａ）の周りを一定の距離で放射方向に走るカラーとを含み、固定手段のための円形の貫通開口（１３）を囲むカラーを備える。
【００２４】
従って、連結要素（２、３）は、密封面上で、中間要素と固定要素（５ｂ）の下部の第２エッジ（７）の領域と、周囲の領域に配置されて支持された第１密封要素（４）とで、互いに対して密封される。第１密封要素（４）は、特に連結要素（２、３）に接続されたラインを通って流れる流体を封止するために、特にラインを通じて流れる流体の漏洩を防止するために利用される。中間要素（５）の第２密封要素（５ｂ）は、主に連結要素（２、３）の間、特に中間空間（１２）内に腐食性の媒質が外部から浸透することを防止するよう機能する。
【００２５】
第２密封要素（５ｂ）には、この密封要素（５ｂ）の外部面にある第１端部（１５ａ）から固定手段を収容するための貫通開口（１３）まで、そして貫通開口（１３）から固定要素（５ａ）の第２エッジ（７）まで延長されるスロット形状のリセス（１４）が形成されており、貫通開口（１３）を固定要素（５ａ）の第２エッジ（７）に接続する。固定要素（５ａ）の壁の内部で、リセス（１４）は、第２密封要素（５ｂ）内に形成されたスロットの拡張部として連続し、固定要素（５ａ）の第１エッジ（６）の下から第２端部（１５ｂ）まで延長される。
【００２６】
従来技術から公知であり、図示されていない、前述のリセス（１４）なしで構成された第２密封要素（５ｂ）は、内部に欠陥のある第１密封要素（４）とは関係なく、独立して連結要素（２、３）に接続されたラインを密封中空シリンダー形状の固定要素（５ａ）である。この場合、第２密封要素（５ｂ）は、ラインを約３０ｂａｒの内部圧力まで密封させることができる。
【００２７】
しかし、図面に示されていない従来技術の第２密封要素（５ｂ）の配置によっては、例えば、第１密封要素（４）が欠損があるか損傷されていても、ラインを通じて流れる流体の漏出の可能性を検出することを妨げる。アレンジメント（１）内部の締結手段の２つの不完全な接続、例えば組み立て過程の途中またはラインと連結要素との連結過程で起こる。
【００２８】
図３及び図５乃至図７では、第１密封要素（４）のための固定要素（５ａ）と、本発明によるアレンジメント（１）の第２密封要素（５ｂ）を有する中間要素を示した。図３は第１密封要素及び第２密封要素のための固定要素を有する中間要素の斜視図を、図４は第１密封要素の斜視図を示した。図５及び図６は中間要素の固定要素内に挿入された第１密封要素をそれぞれ上から、そして下から見た状態を斜視図で示した。そして図７は第１密封要素が設定挿入された第２連結要素の斜視図で示した。
【００２９】
図３乃至図７に示したアレンジメント（１）の同一な構成要素及び実施例は同じ符号で示した。個別の構成要素に対しては、図１、２についての説明が参考となる。図１、２に示したアレンジメント（１）と比較する時、図３乃至図７に示したアレンジメント（１）の重要な差は、固定要素（５ａ）及び第２密封要素（５ｂ）を有する中間要素（５）の形成にある。
第２密封要素（５ｂ）には、平坦で帯状の第２密封要素（５ｂ）の上側から下側に連続して延びるスロットとして構成されたリセス（１４）が設けられている。一方、リセス（１４）は、第２密封要素（５ｂ）の外側の第１端部（１５ａ）から貫通開口（１３）まで、貫通開口（１３）から固定要素（５ａ）の第２エッジ（７）まで、そして壁の内側に延びている固定要素（５ａ）の軸方向における第１密封要素（４）のレセプタクルの領域内へと延びている。固定要素（５ａ）の壁の内側においても、リセス（１４）は、壁を貫通するスロットとして構成されている。リセス（１４）は、好ましくは、中間要素（５）の対称軸に沿って延びている。
【００３０】
第２密封要素（５ｂ）には、平らなストリップ形状の密封要素（５ｂ）の上部面から下部面まで連続に延長されるスロットとして形成されたリセス（１４）が設けられている。一方、リセス（１４）は密封要素（５ｂ）の外部面にある第１端部（１５ａ）から固定手段を収容するための貫通開口（１３）まで、そして貫通開口（１３）から固定要素（５ａ）の第２エッジ（７）まで延長される。固定要素（５ａ）の壁の内部では、リセス（１４）が第２密封要素（５ｂ）内に形成されたスロットの拡張部内に継続して案内され、固定要素（５ａ）の軸方向に第１密封要素（４）の収容部領域の内部まで延長される。リセス（１４）は、固定要素（５ａ）の第１エッジ（６）の内部から第２端部（１５ｂ）まで延長される。また、固定要素（５ａ）の壁内部でも、リセス（１４）は壁を貫通するスロットとして形成されている。この際、リセス（１４）は好ましくは中間要素（５）の対称軸に沿って延びている。
【００３１】
連結要素（２、３）、及び中間要素（５）が中間的に支持され、固定要素（５ａ）が第１密封要素（４）及び第２密封要素（５ｂ）を有するアレンジメント（１）が組み立てられた状態では、中間要素（５）の内側のリセス（１４）は、第１密封要素（４）の領域から中間要素（５）の外部面まで延長され、そしてこれでアレンジメント（１）の周辺に延びるラインを形成する。
【００３２】
第２密封要素（５ｂ）の内部に形成されたリセス（１４）の第１端部（１５ａ）は、円錐形状を有し、この場合リセス（１４）の対向する側壁は、外部エッジで互いに接して、リセス（１４）は、連続している貫通開口（１３）の方向に継続して延長して、貫通開口（１３）に到達する時まで継続して拡張される。リセス（１４）の向き合うように配されている側壁の間隔は貫通開口（１３）の方向に継続して増加する。リセス（１４）の貫通開口（１３）と第２端部（１５ｂ）の間でリセス（１４）の対向する側壁の間隔は実質的に一定である。
【００３３】
アレンジメント（１）が組み立てられた状態でリセス（１４）により形成された流動チャンネルは、第１端部（１５ａ）の領域でリセス（１４）の円錐形状のバルブの機能を満たし、第１端部（１５ａ）から一方向の流通を可能にする第２端部（１５ｂ）への流れを可能にし、そしてこれでアレンジメント（１）から周辺へと伸びている。従って、例えば密封されていないか、または、欠陥のある第１密封要素（４）により発生する、連結要素（２、３）により互い結合されたラインを通じて流れる流体の漏洩流れが外部に導くことができる。ラインの連結部を通過する流体の漏洩による流れを検出することができる。
【００３４】
リセス（１４）の第１端部（１５ａ）の円錐形の形成は、外部への流体の圧力の緩和を可能にする。この場合は、このようにして設計されたバルブは、少なくとも３ｂａｒの内部圧力の値に達するまで閉鎖されるか、流体密封されることで、結果的に一方では連結要素（２）により互い結合されたラインを通じて流れる流体の漏洩流れが外部に流出されず、他方では水、特に海水のような腐食性の媒質がアレンジメント（１）内に、特にアレンジメント（１）の中間空間（１２）内に全く流入しない。リセス（１４）の第１端部（１５ａ）は、圧力維持バルブに類似した形状に形成される。
【００３５】
バルブは、約６バールの内圧の値で開き、これは、第１密封要素（４）の非締め付けまたは不足、またはフローダクト内の連結要素（２、３）の非締め付け接続の結果として生じる  したがって、リセス（１４）によって形成されたバルブは、流動チャンネルの第１端部（１５ａ）としてバルブに作用し、一方では、互いに結合された連結要素（２、３）により互い結合されたラインを通じて流れる流体の漏洩流れが外部に流出される。従って、特に冷媒は圧力値が相対的に小さな場合も冷媒循環系から周辺に漏洩されて検出されることができる。他方では、また腐食性の媒質が反対方向のアレンジメント（１）内に同時に浸透する状況も防止される。中間要素（５）の第２密封要素（５ｂ）の全体面に渡る圧搾により、アレンジメント（１）の腐食保護が常になされる。
【００３６】
アレンジメント（１）は図３乃至図７に図示した順序で組み立てられる。この場合、ディスク形状の第１密封要素（４）は、下部の第２エッジ（７）から出発して固定要素（５ａ）の中空シリンダー形状の収容部内部に挿入されて、上部の第１エッジ（６）から放射方向内部に突出する。そして円形断面を有するウェブとして形成された成形部（１０）まで軸方向に移動される。この場合、第１密封要素（４）は固定要素（５ａ）の壁の内部面（８）に形成された、軸方向に下部第２エッジ（７）から上部第１エッジ（６）の方向に放射方向に細くなる中心設定要素（１１）の間に固定されて、このような固定状況は、特に図５及び図６に示した。
【００３７】
続いて、固定要素（５ａ）を有する中間要素（５）及びこの固定要素（５ａ）内に固定された第１密封要素（４）が連結要素（２、３）の密封面の間に配置され、固定要素（５ａ）は、取り付けの前に、配置される連結要素（２、３）の密封面に連結要素（２、３）のねじ結合の前に固定要素（５ａ）と第１密封要素（４）との間に配置される第１密封要素（４）を有する中間要素（５）は、固定要素（５ａ）を備え、固定要素（５ａ）内に固定された第１密封要素（４）を有する中間要素（５）は、第１連結要素（２）の上に予め取り付けられる。
【００３８】
その次に、連結要素（２、３）が固定手段により、特にねじ結合によって、互い連結される。この場合、第１連結要素（２）は、貫通開口（１３）及び、連結要素（２、３）の密封面から離れて向いている側の貫通開口（１３）を通り、支持面（１６）を通って、ねじから間隔をおいて形成されている。支持面（１６）は、連結要素（２、３）のねじ結合の際、レバー作用が発生するように配置され、このレバー作用は連結要素（２、３）の密封面の間に配置された密封要素（１４）の均一な圧縮を誘導する。また、この成形要素は第１連結要素（２）の支持面（１６）から突出して整列し、第２連結要素（３）を案内するためのアレンジメント（１）の組み立ての際役立つ、ピン形状の成形要素（１７）が設けられる。
【符号の説明】
【００３９】
１：  アレンジメント
２：  第１連結要素
３：  第２連結要素
４：  第１密封要素
５：  中間要素
５ａ：  （第１密封要素の）固定要素
５ｂ：  第２密封要素
６：  （固定要素の）第１エッジ
７：  （固定要素の）第２エッジ
８：  （固定要素の）内部面
９：  （固定要素の）外部面
１０：  成形部
１１：  中心設定要素
１２：  中間空間
１３：  貫通開口
１４：  リセス
１５ａ：  （リセスの）第１端部
１５ｂ：  （リセスの）第２端部
１６：  支持面
１７：  成形要素
【図１】
2019055772.tif 000003
【図２】
2019055772.tif 000004
【図３】
2019055772.tif 000005
【図４】
2019055772.tif 000006
【図５】
2019055772.tif 000007
【図６】
2019055772.tif 000008
【図７】
2019055772.tif 000009